(57)【特許請求の範囲】
【請求項１】
金属製ライナーを製造するためのツールセットであって、
前記金属製ライナーを構成する一次部品（２ａ、２ｂ、２ｃ）の支持要素を形成する複数のマンドレル要素（１ａ、１ｂ、１ｃ）からなるマンドレル（１）と、連接する前記複数のマンドレル要素の接合端部上に位置決めされるよう設計された少なくとも１つの環状セクタ（３ａ、３ｂ、３ｃ、３ｄ）とを備えることを特徴とする、ツールセット。
【請求項２】
前記金属製ライナーが、複合体容器用の金属製ライナーであることを特徴とする、請求項１に記載のツールセット。
【請求項３】
前記ライナーは丸みを帯びた端部を有する円筒形容器ライナーであり、前記支持要素は少なくとも１つのフロントパネル（１ａ）、１つのリアパネル（１ｃ）及び少なくとも１つの中間円筒形本体（１ｂ）と、前記フロントパネル（１ａ）、リアパネル（１ｃ）及び中間円筒形本体（１ｂ）の接合端部上に位置決めされた環状セクタ（３ａ、３ｂ、３ｃ、３ｄ）とを備えることを特徴とする、請求項１または２に記載のツールセット。
【請求項４】
前記環状セクタ（３ａ、３ｂ、３ｃ、３ｄ）は鋼鉄製セクタである、請求項1〜３のいずれかに記載のツールセット。
【請求項５】
前記環状セクタは、周縁環状セットバック（４ａ）を備え、前記周縁環状セットバック（４ａ）は、隣接するセクタの周縁環状セットバック（４ｂ）と共に環状チャネル（４）を形成するよう設計された、請求項1〜４のいずれかに記載のツールセット。
【請求項６】
前記環状セクタ（３ａ、３ｂ、３ｃ、３ｄ）は除去可能なセクタであることを特徴とする、請求項1〜５のいずれか１項に記載のツールセット。
【請求項７】
前記マンドレル要素は可溶性材料製の部品であることを特徴とする、請求項１〜６のいずれか１項に記載のツールセット。
【請求項８】
前記可溶性材料製の部品は、密封被膜（５）で覆われていることを特徴とする、請求項７に記載のツールセット。
【請求項９】
前記マンドレル要素の少なくともいくつかは、前記マンドレルの軸受車軸（６）に設置された回転部品であることを特徴とする、請求項１〜８のいずれか１項に記載のツールセット。
【請求項１０】
前記マンドレル要素の少なくともいくつかは、前記マンドレルの軸受車軸（６）の受容チューブ（７ａ、７ｂ、７ｃ）上に設置されることを特徴とする、請求項１〜８のいずれか１項に記載のツールセット。
【請求項１１】
金属製ライナーを備える物品を製造するための方法であって、
マンドレル要素上に金属製ライナーを構成する複数の一次部品（２ａ、２ｂ、２ｃ）を配置するステップ（１００）と、
前記複数の一次部品を担持する前記マンドレルの要素を組立てるステップ（１１０）と、
組立てた前記マンドレル要素上の前記複数の一次部品を互いに溶接するステップ（１１１）と
を含むことを特徴とする、方法。
【請求項１２】
複合体容器に適用可能な、請求項１１に記載の方法であって、
前記マンドレルの前記要素上に組付けた前記ライナー上に、ファイバ（８）を巻き付けるステップ（１２０）を含むことを特徴とする、方法。
【請求項１３】
前記マンドレルの前記要素を組立てる前記ステップ（１１０）は、前記マンドレルの駆動車軸を回転させる際に実現されることを特徴とする、請求項１１又は１２に記載の方法。
【請求項１４】
前記マンドレルは可溶性マンドレルであり、前記方法は、前記巻き付け又は前記溶接の後で前記マンドレルを融蝕するステップ（１３０）を含むことを特徴とする、請求項１１〜１３のいずれか１項に記載の方法。
【請求項１５】
前記複数の一次部品を前記マンドレル要素上に配置する前記ステップ（１００）の前に、前記マンドレル要素の接合端部に環状セクタ（３ａ、３ｂ、３ｃ、３ｄ）を位置決めするステップ（９０）を含むことを特徴とする、請求項１１〜１４のいずれか１項に記載の方法。
【請求項１６】
前記マンドレルの前記要素上に組付けた前記複数の一次部品を溶接する前記ステップ（１１１）は、前記環状セクタにおいてチャネル（４）上側の前記複数の一次部品に対向する縁部を溶接することによって実現されることを特徴とする、請求項１５に記載の方法。
【請求項１７】
前記複数の一次部品を配置する前記ステップ（１００）は、
前記複数の一次部品を加熱するステップ（１０１）と、
前記複数の一次部品を前記マンドレル要素上に位置決めするステップ（１０２）と、
前記複数の一次部品を冷却して、前記マンドレル要素への前記ライナー部分の締り嵌めを生成するステップ（１０３）と
を含むことを特徴とする、請求項１１〜１６のいずれか１項に記載の方法。
【請求項１８】
金属製ライナーを有する複合体容器の製造に適用される、請求項１１〜１７のいずれか１項に記載の方法であって、
前記マンドレル要素は、フロントパネル（１ａ）、リアパネル（１ｃ）及び少なくとも１つの中間円筒形本体（１ｂ）に成形されることを特徴とする、方法。
【発明の詳細な説明】
【技術分野】
【０００１】
本発明は、金属製ライナーの製造及びこのようなライナーを備える物品に関する。
【背景技術】
【０００２】
金属製ライナーは、特に覆われた複合体容器の分野で使用されている。
【０００３】
圧力下での流体の保存用、特にスペースアプリケーション用、又は圧力下での低温流体の保存用等の高機能容器の場合、金属製ライナーは容器の容積と比較して薄い。
【０００４】
「高機能容器」とは、一般には輸送産業、具体的には空間輸送において使用されるような、体積が最適化された容器を意味する。
【０００５】
加圧流体を保存することを目的とした高機能複合体容器は一般に、密閉機能と、圧力に対する機械的復元力とを分離することにより設計される。
【０００６】
流体の閉じ込め、密閉、及び／又は流体に対する複合体材料製の壁の保護を、金属またはポリマー性の、一般には薄い、「ライナー」と呼ばれるシェルによって提供し；容器が含む流体の圧力に対する復元力を、樹脂でコーティングした複合体ファイバの巻き付けによって提供する。
【０００７】
複合体ファイバ（ファイバ及び樹脂）を、フィラメントワインディングによってライナー上に堆積させる。
【０００８】
この技術は公知であり、例としてＬｏｃｋｈｅｅｄ  Ｍａｒｔｉｎによる特許文献１を挙げることができる。
【０００９】
シェルは機械的機能を何ら有さず、容器の体積を最小化することを目標としているため、シェルは薄い。
【００１０】
密閉機能に加えて、ライナーはカーボンファイバの蒸着によって生じた力に耐える機能も有し、蒸着の間ライナーは巻き付けのマンドレルとして機能し、堆積される複合体構造のための基準面を提供する。
【００１１】
ライナーがもたらす、この副次的なワインディング補助機能によって、ライナーの機械的復元力及び／又は剛性が必要となる。
【００１２】
このため、材料の特性及び部品のジオメトリに応じた十分な厚さをライナーが有する必要がある。
【００１３】
巻き付け力は、ライナーの約０．３ＭＰａの局所圧縮として現れ、結果として容器の完成品の体積の増大として現れる。
【００１４】
これはサイズの大きい、数メートルサイズの容器に関して特に問題となり得るが、これは、このような場合にライナーの体積が相当なものとなる、又はライナーの材料が展性を有する及び／若しくは低い弾性限界を有する及び／若しくは低い機械的復元力を有するからである；これは、例えばライナーが高純度アルミニウム製である場合、又は、ライナーの体積を有意に削減するために、数メートルの寸法を有する容器に関して１ｍｍ未満の厚さが達成される場合に当てはまる。
【００１５】
ファイバを接触巻き付け又はファイバ配置によって配置する場合には、ライナーの抵抗性も重要なパラメータである。
【００１６】
実際、これらの方法は、ファイバを堆積させる地点において支持体に直接力を印加するが、巻き付けにおいて、この力は巻き線が受ける張力に由来するものである。
【００１７】
ライナーが巻き線の堆積による力に耐えることができない場合、又は密封ライナーが不要である場合、マンドレルを使用する。
【００１８】
多数のマンドレル技術が存在し、金属製マンドレル及び可溶性材料（例えば水に水溶性ポリビニルアルコールを加えたもの）製のマンドレルを挙げることができる。
【００１９】
一般に、マンドレルには容器の充填ポートとなる部分を通してしか到達することができないため、巻き付け及び複合体材料の製造後にマンドレルを除去することが一般的な問題である。
【先行技術文献】
【特許文献】
【００２０】
【特許文献１】米国特許第６４０１９６３号
【発明の概要】
【発明が解決しようとする課題】
【００２１】
本発明は、サイズが大きなものであってよい高機能複合体容器用の、極めて薄く極めて高精度な金属製ライナーを製造するための新規のツールセット及び新規の方法に関する。
【００２２】
本発明の目的は特に、タイプ１０５０の純アルミニウムの場合のようにそれ固有の特性により、又は、単にライナーが極めて薄いことにより、極めて低い機械的復元力を有する材料を使用することができるようにすることである。
【課題を解決するための手段】
【００２３】
本発明に係る方法のために設計されるツールセットは、金属製ライナー用支持体として可溶性マンドレルを備え、可溶性マンドレルの役割は以下の通りである：
−金属ライナー用支持体の機能を果たす；
−機械的観点及び幾何学的観点の両方において、後続の巻き付けのための機械的支持体の役割を果たす；
−金属製ライナーを製造するためのツールセットの機能を果たす。
【００２４】
より詳細には、本発明は、金属製ライナーを構成する一次部品の支持要素を形成する複数のマンドレル要素からなるマンドレルを備える、特に複合体容器用の金属製ライナーを製造するためのツールセットを想定している。
【００２５】
本発明の特定の実施形態によると、ライナーは丸みを帯びた端部を有する円筒形容器ライナーであり、支持要素は少なくとも１つのフロントパネル、１つのリアパネル及び少なくとも１つの中間円筒形本体を備える。
【００２６】
ツールセットは有利には、上記フロントパネル、リアパネル及び中間円筒形本体の接合端部上に位置決めされるよう設計された環状セクタを備え、これらのセクタはマンドレルの要素をそれらの接合部において補強する。
【００２７】
特定の実施形態によると、上記環状セクタは鋼鉄製セクタである。
【００２８】
環状セクタは有利には周縁環状セットバックを有し、これは、隣接するセクタの周縁環状セットバックと共に環状チャネルを形成するよう設計される。
【００２９】
環状セクタは好ましくは除去可能なセクタである。
【００３０】
有利な実施形態によると、マンドレルの要素は可溶性材料製の部品である。
【００３１】
可溶性材料製の部品は好ましくは密封被膜で覆われている。
【００３２】
第１の実施形態によると、マンドレル要素の少なくともいくつかは、マンドレルの軸受車軸に設置された回転部品である。
【００３３】
代替として、マンドレル要素の少なくともいくつかは、マンドレルの軸受車軸の受容チューブ上に設置される。
【００３４】
本発明は、複合体容器等、ライナーを備える物品を製造するための方法にも関し、この方法は、マンドレル要素上にライナーの部分を配置するステップ、ライナーの部分を担持するマンドレルの要素を組立てるステップ、及び組立てたマンドレル要素上にライナーの部分を溶接するステップを含む。
【００３５】
特に巻き付け複合体容器に適用可能な実施形態によると、本発明に係る方法は、マンドレル上に設置完了したライナー上に、ファイバを巻き付けるステップを含む。
【００３６】
本発明の好ましい実施形態によると、マンドレルの要素を組立てるステップは、マンドレルの駆動車軸を回転させる際に実現される。
【００３７】
マンドレルが可溶性マンドレルである場合、本発明に係る方法は、巻き付けステップ又は溶接ステップの後でマンドレルを融蝕するステップを含む。
【００３８】
本発明に係る方法は、ライナー部分をマンドレル要素上に配置するステップの前に、マンドレル要素の接合端部に環状セクタを位置決めするステップを含む。
【００３９】
マンドレルの要素上に組付けたライナーの部分を溶接するステップは、好ましくは、環状セクタにおいてチャネル上側のライナーの部分に対向する縁部を溶接することによって実現される。
【００４０】
ライナーの部分を配置するステップは、ライナー部分を加熱するステップ、ライナー部分をマンドレル要素上に位置決めするステップ、及びライナー部分を冷却して、マンドレル要素へのライナー部分の締り嵌めを生成するステップを含む。
【００４１】
金属製ライナーを有する複合体容器の製造に適用される本発明に係る方法では、マンドレル要素はフロントパネル、リアパネル、及び少なくとも１つの中間円筒形本体に成形される。
【００４２】
本発明の他の特徴及び利点は、図面を参照しつつ、本発明の非限定的実施例に関する以下の説明を読むことにより、明らかになるであろう。
【図面の簡単な説明】
【００４３】
【図１】図１は、本発明によるツールセットの一部分の第１の実現例の長手方向断面図である。
【図２】図２は、本発明によるツールセットの一部分の第２の実現例の展開斜視図である。
【図３Ａ】図３Ａは、本発明のマンドレル要素上にライナー部分を配置するステップの実現例を示す。
【図３Ｂ】図３Ｂは、本発明のマンドレル要素上にライナー部分を配置するステップの実現例を示す。
【図４Ａ】図４Ａは、本発明のマンドレル要素上にライナー部分を配置するステップの実現例を示す。
【図４Ｂ】図４Ｂは、本発明のマンドレル要素上にライナー部分を配置するステップの実現例を示す。
【図５】図５は、本発明のある実施形態によるセクタの実現例の詳細を示す。
【図６Ａ】図６Ａは、本発明によるツールセット上にライナーを溶接する操作の詳細を示す。
【図６Ｂ】図６Ｂは、図６Ａのツールセットを用いた溶接操作の詳細を示す前面断面図である。
【図７】図７は、本発明によるマンドレル上のライナー部分の断面図である。
【図８】図８は、本発明に係る方法の主なステップを示す。
【図９】図９は、本発明のある実施形態による方法のステップを詳細に示す。
【図１０】図１０は、本発明の特定の実施形態によるライナー部分を配置するステップを詳細に示す。
【発明を実施するための形態】
【００４４】
図１は、特に複合体容器用の金属製ライナーを製造するためのツールセットを示す。
【００４５】
このツールセットは、金属製ライナーを構成する一次部品の支持要素を形成する複数のマンドレル要素からなるマンドレル１を備える。
【００４６】
丸みを帯びた端部を有する円筒形容器ライナーの製造等の応用例では、支持要素は少なくとも１つのフロントパネル１ａ、１つのリアパネル１ｃ及び少なくとも１つの中間円筒形本体１ｂを備える。
【００４７】
これらのマンドレル要素は有利には可溶性材料製の部品であり、従ってこれらはライナーが完成した後で容易に除去することができる。
【００４８】
ライナー部分を配置するための高品質な表面を提供するために、実施例によると、可溶性材料製の部品を密封被膜５で覆う。
【００４９】
更に図１によると、ツールセットは、上記フロントパネル、リアパネル及び中間円筒形本体の接合端部上に位置決めされるよう設計された環状セクタ３ａ、３ｂ、３ｃ、３ｄを備える。
【００５０】
上記環状セクタ３ａ、３ｂ、３ｃ、３ｄは、鋼鉄製、例えばオーステナイトステンレス鋼製セクタである。
【００５１】
図５をより詳細に見ると、環状セクタは周縁環状セットバック４ａを有し、これは、隣接するセクタの周縁環状セットバック４ｂと共に環状チャネル４を形成するよう設計される。
【００５２】
後で見るように、これら環状チャネルは、ライナー部分を互いに溶接する操作のためのクリアランス領域を生成するために使用される。
【００５３】
環状セクタ３ａ、３ｂ、３ｃ、３ｄは除去可能なセクタである。
【００５４】
図１に戻ると、マンドレル要素の少なくともいくつかは、マンドレルの軸受車軸６に設置された回転部品である。
【００５５】
図２の実施例によると、マンドレル要素は、マンドレルの軸受車軸６の受容チューブ７ａ、７ｂ、７ｃ上に設置される。
【００５６】
マンドレル要素をチューブ７ａ、７ｂ、７ｃ上に設置することにより、これらの取り扱いが容易になり、車軸６上に設置する際にこれらが損傷を受けるのが防止される。
【００５７】
図２はまた、フロントパネル、リアパネル及び中間本体に対向する端部に共に適合するセクタ３ａ〜３ｄを示す。
【００５８】
この図によると、セクタはマンドレルを車軸６に設置する際に位置決めされるが、ライナー部分を配置する前にこれらセクタ各々をマンドレル要素上に位置決めすることが好ましい。
【００５９】
本発明の方法によると、ライナーを構成する様々な一次部品（フロントドーム、リアドーム及びカラー）は別個に製造され、その後、事前に精確に機械加工された可溶性マンドレルに組付けられる。
【００６０】
機械加工又は成形の後、ライナー部分を形成する一次部品を加熱して膨張させ、マンドレルの対応する部品に当接させ、その後、単に冷却による収縮によって、所定の位置に締り嵌めする。
【００６１】
図３Ａ及び３Ｂは、ライナーのフロント又はリアドーム２ａを形成するライナー部分を、対応するマンドレル要素１ａ上に配置する例を示す。
【００６２】
図３Ａによると、ドーム形状ライナー部分がアルミニウム製要素である場合、これを約１００℃まで加熱してこの要素を膨張させ、対応するマンドレル要素上に位置決めする。
【００６３】
図３Ｂによると、ライナー部分２ａは冷却され、マンドレル要素の形状になる。
【００６４】
非常に大きな膨張を得る必要はなく、膨張は、ライナー部分がマンドレル要素に擦れることなく係合する程度で十分である。
【００６５】
ライナー部分がマンドレル要素に適切に付着することを保証するために、マンドレルを、ライナー部分の内側寸法より若干大きな外側寸法を有するよう製造するのが望ましく、これにより、マンドレル要素にライナー部分を確実に締り嵌めする。
【００６６】
図４Ａ及び４Ｂは、マンドレルの中間円筒形本体上への、ライナーのカラー要素の配置を示す。
【００６７】
ドームの場合と同様、ライナー部分２ｂを加熱することによって図４Ａのように位置決めすることができ、このライナー部分を冷却することによって円筒形本体１ｂに締り嵌めすることができる。
【００６８】
これらの実施例では、セクタ３ａ、３ｂ、３ｃはマンドレル要素上に既に設置されており、ライナー部分の端部がこれらセクタに当接する。
【００６９】
ライナーに複合体ファイバを巻き付ける容器の場合、巻き付け表面のジオメトリは、ライナーを構成する一次部品を、締り嵌め中にマンドレル上に予備形成することによって提供され、これにより、例えば低温容器等の最終産物に高いレベルの精度を与えることができる。
【００７０】
可溶性マンドレル上にサブアセンブリを溶接することにより、ライナーを閉鎖する。これを達成するために、上述のようにマンドレルに除去可能なセクタを設け、これにより、溶接領域を局所的に保護及び洗浄することができる。
【００７１】
図６Ａは、使用可能な溶接ツールの例を示す。
【００７２】
ツールセットは、複数のアクチュエータ２１１が固定される剛性フレーム１０を備え、これらアクチュエータ２１１は、図６Ｂに示すようにライナー要素２ａ、２ｂ上に位置決めされた外側セクタ２１２ａ、２１２ｂを強く押圧する。
【００７３】
これら外側セクタ及び内側セクタ３ａ、３ｂにより、溶接の前後に、溶接されるライナー要素を精確に位置決めすることができる。
【００７４】
溶接には例えばＴＩＧ技術を使用師、溶接ヘッド２１３を溶接する領域全体にわたって動かすか、又はヘッドを固定して溶接対象を回転させる。
【００７５】
必要であれば、溶接ヘッドを通過させるためにアクチュエータを持ち上げる。
【００７６】
次に、図７に示すマンドレル上の所定の位置にある完成したライナーに、巻き付け１１操作を実行することができる。
【００７７】
巻き付け操作が終わると、マンドレル及びセクタを構造から除去する。
【００７８】
可溶性マンドレルの場合、材料を溶融又は溶解することによりマンドレルを除去し、セクタを除去するために、セクタがバネ材料製である場合はセクタを変形させ、ドームのうちの１つの開口端部からこれらを除去する。
【００７９】
このツールセットにより、破壊力学的観点におけるライナーの許容誤差の最適化という枠内で正当であるような低さの弾性限界を有する金属材料製のライナーの使用が可能となる。
【００８０】
本発明によるツールセットによって可能となる別の応用例では、展性が高い及び／若しくは低い弾性限界を有する材料を複合体容器のライナーに使用することには、複合体構造による変形にライナーが容易に追従するという利点がある。
【００８１】
これは、１０５０アルミニウム合金製のライナーを用いる低温用途の場合に特に関する。
【００８２】
本発明の方法を用いれば、圧縮力に耐えるマンドレルの存在により、複合体巻き付けを堆積するためのライナーのある程度の領域を必要以上に大きくする必要はない。
【００８３】
あらゆる場合において、本発明によるマンドレルは、薄くなったライナーの本質的に不十分な機械的復元力を克服することができる。このようなライナーは、容器の製造中にそれ自体によって発生する力に耐えるには適していない。
【００８４】
先行技術では、複合体の堆積表面の品質を保証するために、ライナーの外側ジオメトリを極めて高い精度で実現する必要がある。その上、ライナーを構成する一次部品を溶接により組立てなければならず、ライナーのジオメトリはまた、巻き付け方法に必要な実装許容誤差の適正さを保証するためにも、非常に高い精度で実現しなければならない。
【００８５】
これらの精度要件によってライナーのコストは上昇し、また、ライナーの厚さが減少して寸法が増大するにつれて、これらの精度要件はより重要となる。
【００８６】
本発明による方法及びツールセットを用いて製造されるライナーでは、マンドレルによって適正な堆積表面が保証されるため、一次部品において成形許容誤差を増大させることができる。
【００８７】
本発明の方法及びツールセットにより、実装許容誤差が厳密でなくてよい、より強力な溶接方法を使用することができるようにもなるが、これは、マンドレル及び溶接領域に位置決めされたセクタによって形成される内部支持体の存在により、溶接中の構造の変形が減少するからである。
【００８８】
これは、ライナー製造方法におけるコスト節減につながる。
【００８９】
本発明の応用例は、純アルミニウム製の、直径１６００ｍｍのライナーの製造に関する。
【００９０】
カラー部分におけるライナーの厚さは１ｍｍである。
【００９１】
ライナーは、好ましくはＴＩＧである溶接によって組立てられた、３つのセクションから製造される。
【００９２】
アレニル（砂及びポリビニルアルコール）タイプの可溶性材料製のマンドレルに、周辺部溶接を実現するために設計されたセクタを装備する。
【００９３】
図８に示す一般的な方法は、マンドレル要素上にライナーの部分２ａ、２ｂ、２ｃを配置して、フロントパネル１ａ、リアパネル１ｃ及び少なくとも１つの中間円筒形本体１ｂを形成するステップ１００、ライナーの部分を担持するマンドレルの要素を組立てるステップ１１０、並びに組立てたマンドレル要素上にライナーの部分を溶接するステップを含む。
【００９４】
図９によると、この一般的な方法は更に、マンドレルの要素上に組立てたライナー上に、ファイバ８を巻き付けるステップ１２０、及び、マンドレルの回転駆動車軸上においてマンドレルの要素の組立てを実現するステップ１１０を含む。
【００９５】
巻き付けステップ１２０は、樹脂を含浸した複合体ファイバの巻き付けにより公知の方法で行われ、マンドレルが可溶性マンドレルである場合、本方法は、巻き付けステップの後に、マンドレルを融蝕するステップ１３０を含み、その後、金属製セクタを除去するステップ１４０へと進む。
【００９６】
マンドレルの要素がフロントパネル、リアパネル及び少なくとも１つの中間円筒形本体を含む場合、本発明に係る方法は、マンドレル要素上にライナー部分を配置するステップ１００の前に、上記フロントパネル、リアパネル及び少なくとも１つの中間円筒形本体の接合端部上に環状セクタ３ａ、３ｂ、３ｃ、３ｄを位置決めするステップ９０を含む。
【００９７】
その後、環状セクタにおいてチャネル４の上側のライナーの部分に対向する縁部を溶接することによって、マンドレルの要素上に組み付けたライナーの部分を溶接するステップ１１１を行う。
【００９８】
図１０によると、ライナー部分を配置するステップ１００は、ライナー部分を加熱するステップ１０１、ライナー部分をマンドレル要素上に位置決めするステップ１０２、及びライナー部分を冷却してマンドレル要素へのライナー部分の締り嵌めを生成するステップ１０３を含む。
【００９９】
要するに、本発明の特定の実施形態によると、本発明に係る方法は、例えば以下のような順序でマンドレルに一次部品を当接させることから始まる：
１−ライナーのフロントパネル及びリアパネルを形成するライナー部分を、マンドレルのフロント及びリアパネルに当接させる；
２−ライナー部分を対応するマンドレル要素に締り嵌めし、連結を機械加工する；
１−ライナーのカラーを中間円筒形本体上へと当接させる；
２−カラーを中間円筒形本体に締り嵌めし、連結を機械加工する。
【０１００】
続くステップでは、マンドレル要素を組立てて、完成品のマンドレルを形成し、続いてライナー部分を溶接する。
【０１０１】
マンドレルの存在に関して溶接ラインの検査を行い、続いて、図７に示すように、マンドレルをその車軸６の周りで回転させることにより、複合体の材料の巻き付け１１を実施する。
【０１０２】
最後に、マンドレルを除去する。
【０１０３】
本発明を、金属又は複合体容器用のライナーの製造に応用することができることは明らかである。より一般的には、本発明を、金属部品又はチューブ等の薄い巻き付けの製造に応用することもできる。
【図１】
0006046044.tif 000002
【図２】
0006046044.tif 000003
【図３Ａ】
0006046044.tif 000004
【図３Ｂ】
0006046044.tif 000005
【図４Ａ】
0006046044.tif 000006
【図４Ｂ】
0006046044.tif 000007
【図５】
0006046044.tif 000008
【図６Ａ】
0006046044.tif 000009
【図６Ｂ】
0006046044.tif 000010
【図７】
0006046044.tif 000011
【図８】
0006046044.tif 000012
【図９】
0006046044.tif 000013
【図１０】
0006046044.tif 000014